(57)【要約】【課題】データの通信品質の低下を防止する。【解決手段】画像及び音声の少なくともいずれかを含むデータの通信を、ネットワークを介して行うアプリケーションに対し、アップデートデータを受信してアップデートを行う通信装置であって、アップデートデータにかかる情報を示す関連情報を受信する受信部と、関連情報に基づいて、アップデートデータのダウンロードを開始するアップデート部と、アプリケーションの実行状態を判断する判断部と、を有し、アップデート部は、判断部の判断結果に基づいて、アップデートデータのダウンロードの停止及び再開を制御する。【選択図】図４
2015005061.tif 000002
【特許請求の範囲】
【請求項１】
画像及び音声の少なくともいずれかを含むデータの通信を、ネットワークを介して行うアプリケーションに対し、アップデートデータを受信してアップデートを行う通信装置であって、
前記アップデートデータにかかる情報を示す関連情報を受信する受信部と、
前記関連情報に基づいて、前記アップデートデータのダウンロードを開始するアップデート部と、
前記アプリケーションの実行状態を判断する判断部と、
を有し、
前記アップデート部は、
前記判断部の判断結果に基づいて、前記アップデートデータのダウンロードの停止及び再開を制御すること
を特徴とする通信装置。
【請求項２】
前記判断部は、
前記ネットワークの通信帯域が前記データの通信を行うために予め定められた閾値よりも低いか否かをさらに判断し、
前記アップデート部は、
前記通信帯域が前記閾値よりも低いと前記判断部が判断した場合に、前記アップデートデータのダウンロードを停止すること
を特徴とする請求項１に記載の通信装置。
【請求項３】
前記判断部は、
前記データの通信を行うために用いる帯域を制限することによって、前記ダウンロードを停止することなく前記データの通信を継続可能であるか否かをさらに判断し、
前記アップデート部は、
前記データの通信を行うために用いる帯域を制限することによって、前記ダウンロードを停止することなく前記データの通信を予め定められた通信帯域で継続可能であると前記判断部が判断した場合、前記データの通信を行うために用いる帯域を制限し、前記アップデートデータのダウンロードを停止しないこと
を特徴とする請求項１に記載の通信装置。
【請求項４】
前記関連情報は、
前記アップデートデータが、前記アプリケーションのアップデートを行う以前に予めダウンロード可能な事前ダウンロードデータであることを示す情報を含むこと
を特徴とする請求項１乃至３のいずれか１項に記載の通信装置。
【請求項５】
画像及び音声の少なくともいずれかを含むデータの通信を、ネットワークを介して行うアプリケーションに対し、アップデートデータを受信してアップデートを行う第１通信装置と、
前記第１通信装置に対し、前記アップデートデータ及び当該アップデートデータにかかる情報を示す関連情報を送信する第２通信装置と、
を備え、
前記第１通信装置は、
前記関連情報を受信する受信部と、
前記関連情報に基づいて、前記アップデートデータのダウンロードを開始するアップデート部と、
前記アプリケーションの実行状態を判断する判断部と、
を有し、
前記アップデート部は、
前記判断部の判断結果に基づいて、前記アップデートデータのダウンロードの停止及び再開を制御すること
を特徴とする通信システム。
【請求項６】
画像及び音声の少なくともいずれかを含むデータの通信を、ネットワークを介して行うアプリケーションに対し、アップデートデータを受信してアップデートを行う第１通信装置と、
前記第１通信装置に対し、前記アップデートデータ及び当該アップデートデータにかかる情報を示す関連情報を送信する第２通信装置と、
を備えた通信システムが行う通信方法であって、
前記第１通信装置が、
前記関連情報を受信する工程と、
前記関連情報に基づいて、前記アップデートデータのダウンロードを開始する工程と、
前記アプリケーションの実行状態を判断する工程と、
前記実行状態を判断した結果に基づいて、前記アップデートデータのダウンロードの停止及び再開を制御する工程と、
を行う通信方法。
【請求項７】
画像及び音声の少なくともいずれかを含むデータの通信を、ネットワークを介して行うアプリケーションに対し、アップデートデータを受信してアップデートを行う通信装置が有するコンピュータに、
前記アップデートデータにかかる情報を示す関連情報を受信するステップと、
前記関連情報に基づいて、前記アップデートデータのダウンロードを開始するステップと、
前記アプリケーションの実行状態を判断するステップと、
前記アプリケーションの実行状態の判断結果に基づいて、前記アップデートデータのダウンロードの停止及び再開を制御するステップと、
を実行させるための通信プログラム。
【発明の詳細な説明】
【技術分野】
【０００１】
本発明は、通信装置、通信システム、通信方法及び通信プログラムに関する。
【背景技術】
【０００２】
テレビ会議システムなどの通信システムでは、通話秘匿性能や操作性能を向上させるために、ファームウェア（プログラム）のアップデートが定期的に行われることがある。このような通信システムにおけるプログラムは、アップデートデータとメタ情報を、ネットワークを介してサーバへアクセスして取得してアップデートする方法が既に知られている。
【０００３】
アップデートデータのダウンロードは、通常アップデートが開始できる日付以降にダウンロードが可能となる。また、多数のダウンロード要求アクセスが集中しても通信回線のトラフィックの飽和を防止するために、予め設定された時刻以前に、そのままでは機能しない状態でコンテンツファイルをクライアント装置に提供し、かつ予め設定された時刻以降に、コンテンツファイルが機能する上で必要な有効化情報をクライアント装置に提供する技術が既に知られている。
【発明の概要】
【発明が解決しようとする課題】
【０００４】
しかしながら、アップデートデータのダウンロード中に、画像や音声などの所定の通信帯域を必要とするデータの通信を開始した場合、所定の通信帯域を必要とするデータの通信品質がユーザの意図に反して低下してしまうことがあった。
【０００５】
本発明は、上記に鑑みてなされたものであって、データの通信品質の低下を防止することができる通信装置、通信システム、通信方法及び通信プログラムを提供することを目的とする。
【課題を解決するための手段】
【０００６】
上述した課題を解決し、目的を達成するために、本発明は、画像及び音声の少なくともいずれかを含むデータの通信を、ネットワークを介して行うアプリケーションに対し、アップデートデータを受信してアップデートを行う通信装置であって、前記アップデートデータにかかる情報を示す関連情報を受信する受信部と、前記関連情報に基づいて、前記アップデートデータのダウンロードを開始するアップデート部と、前記アプリケーションの実行状態を判断する判断部と、を有し、前記アップデート部は、前記判断部の判断結果に基づいて、前記アップデートデータのダウンロードの停止及び再開を制御する。
【発明の効果】
【０００７】
本発明によれば、データの通信品質の低下を防止することができるという効果を奏する。
【図面の簡単な説明】
【０００８】
【図１】図１は、実施の形態の通信システムの構成を例示する模式図である。
【図２】図２は、通話端末のハードウエア構成を例示するブロック図である。
【図３】図３は、中継装置、通信管理サーバ、アップデートサーバのハードウエア構成を例示するブロック図である。
【図４】図４は、実施の形態の通話端末及びアップデートサーバの機能構成を例示するブロック図である。
【図５】図５は、アップデートデータ提供部の動作を示す図である。
【図６】図６は、実施の形態の通話端末の動作の一例を示す図である。
【図７】図７は、アップデート部がユーザインタフェース部とともに行う事前ダウンロード処理を示す図である。
【図８】図８は、設定画面への事前ダウンロード通知の一例を示す概念図である。
【図９】図９は、事前ダウンロードの設定画面の一例を示す概念図である。
【図１０】図１０は、関連情報の一例を示す概念図である。
【図１１】図１１は、ビデオ会議中にビデオ会議の状態が変化する場合のアプリケーション状態判断部及びアップデート部の動作を示す図である。
【図１２】図１２は、起動画面の一例を示す概念図である。
【図１３】図１３は、設定画面の一例を示す概念図である。
【図１４】図１４は、確認画面の一例を示す概念図である。
【図１５】図１５は、確認ウインドウの一例を示す概念図である。
【図１６】図１６は、アップデート処理の一例を示す図である。
【図１７】図１７は、アップデート画面の一例を示す概念図である。
【図１８】図１８は、確認画面の一例を示す概念図である。
【図１９】図１９は、ビデオ会議中にビデオ会議の状態が変化する場合のアプリケーション状態判断部及びアップデート部の動作の第１変形例を示す図である。
【図２０】図２０は、ビデオ会議中にビデオ会議の状態が変化する場合のアプリケーション状態判断部及びアップデート部の動作の第２変形例を示す図である。
【図２１】図２１は、ビデオ会議に必要な帯域をビデオ会議モードごとに示す図表（帯域表）である。
【発明を実施するための形態】
【０００９】
以下に添付図面を参照して、実施形態にかかる通信システムを詳細に説明する。
【００１０】
（実施の形態）
図１は、実施の形態の通信システム１の構成を例示する模式図である。図１に示すように、通信システム１は、通信ネットワーク２により通信装置としての通話端末１１ａａ〜１１ａｃ、１１ｂａ〜１１ｂｃ、１１ｃａ〜１１ｃｃ、１１ｄａ〜１１ｄｃ、通信管理サーバ５０、アップデートサーバ６０及びルータ７０ａ〜７０ｄが通信可能に接続されるシステムである。具体的には、通信システム１は、インターネット２ｉにルータ７０ａ〜７０ｄを介して接続するＬＡＮ２ａ、２ｂ、２ｃ、２ｄ、通信管理サーバ５０及びアップデートサーバ６０と、ＬＡＮ２ａに接続する通話端末１１ａａ〜１１ａｃ及び中継装置３０ａと、ＬＡＮ２ｂに接続する通話端末１１ｂａ〜１１ｂｃ及び中継装置３０ｂと、ＬＡＮ２ｃに接続する通話端末１１ｃａ〜１１ｃｃ及び中継装置３０ｃと、ＬＡＮ２ｄに接続する通話端末１１ｄａ〜１１ｄｃ及び中継装置３０ｄとを有する構成である。通信システム１では、通信管理サーバ５０の管理の下、地域Ａの通話端末１１ａａ〜１１ａｃ、１１ｂａ〜１１ｂｃ、地域Ｂの通話端末１１ｃａ〜１１ｃｃ、１１ｄａ〜１１ｄｃの各々が、中継装置３０ａ、３０ｂ、３０ｃ、３０ｄによる通信データの中継を介して、互いに音声及び映像（画像）の少なくともいずれかを含むデータを送受信することで通話を行う。
【００１１】
具体的には、通信管理サーバ５０は、通話端末１１ａａ〜１１ａｃ、１１ｂａ〜１１ｂｃ、１１ｃａ〜１１ｃｃ、１１ｄａ〜１１ｄｃ、中継装置３０ａ、３０ｂ、３０ｃ、３０ｄなどの通信アドレス、中継装置３０ａ、３０ｂ、３０ｃ、３０ｄの各々が中継を行う通話端末、各通話端末の通話状態などの情報を管理する。例えば、通話端末１１ａａが通話端末１１ｃａと通話を行う場合は、中継装置３０ａに通話端末１１ｃａへの通話の中継を依頼する。中継装置３０ａは、通信管理サーバ５０に通話端末１１ａａの通話の開始を通知するとともに、通話端末１１ｃａへ通話を中継するための中継装置３０ｃの通信アドレスを通信管理サーバ５０より取得する。次いで、中継装置３０ａは通話端末１１ｃａへの通話の中継を中継装置３０ｃに依頼し、中継装置３０ｃは、通話端末１１ｃａとの通信セッションを開始する。次いで、中継装置３０ｃは、通話端末１１ｃａとの通信セッションの開始を通信管理サーバ５０へ通知する。
【００１２】
これにより、中継装置３０ａ、３０ｃを介して、通話端末１１ａａ及び通話端末１１ｃａとの間の通話が開始される。また、通信管理サーバ５０は、通話端末１１ａａ及び通話端末１１ｃａが通話中であることを管理する。例えば、通信管理サーバ５０は、通話端末１１ａｂから通話端末１１ａａや通話端末１１ｃａなどの通話状態の問い合わせがあった場合は、オンラインであるが互いに通話中であることを返信する。
【００１３】
なお、以下の説明において、同種の装置の中の任意の装置について説明を行う場合は、数字の後の英数字を略した符号を用いるものとする。例えば、通話端末１１ａａ〜１１ａｃ、１１ｂａ〜１１ｂｃ、１１ｃａ〜１１ｃｃ、１１ｄａ〜１１ｄｃは通話端末１１と略すものとする。また、中継装置３０ａ〜３０ｄは中継装置３０と略すものとする。
【００１４】
アップデートサーバ６０は、通話端末（第１通信装置）１１のプログラムや各種設定情報のアップデートにかかる情報を管理し、通話端末１１の要求に応じてその情報を提供するアップデート情報提供装置（第２通信装置）である。アップデートにかかる情報を示す関連情報としては、通話端末１１のプログラムや各種設定情報の過去のバージョンから最新のバージョンまでの全てのバージョンのデータファイルと、バージョンごとにアップデートの内容を記載したメタデータ（メタ情報）などである。アップデートにかかる情報として全てのバージョンのデータをアップデートサーバ６０が管理する理由は、通話端末１１がアップデートを行うタイミングが各々異なるためである。
【００１５】
例えば、頻繁にアップデートを行っている通話端末１１は、最新のバージョンへのアップデートを行うだけでよいかもしれないが、アップデートの間隔が長い通話端末１１は、何回かバージョンアップが繰り返された後にアップデートを行うかもしれない。このような場合は、直に最新のバージョンへアップデートせずに、最新のバージョンと依存関係のある古いバージョンへのアップデートを経ることがある。このように、依存関係のある古いバージョンへのアップデートを経る通話端末１１もあることから、アップデートサーバ６０は、アップデートにかかる情報として全てのバージョンのデータを管理している。
【００１６】
ここで、アップデートの種類には、通常アップデートと強制アップデートの２種類がある。通常アップデートは、バグ等の障害対応や機能追加を目的として実施されるアップデートである。
【００１７】
強制アップデートは、通話端末１１そのものの機能とは異なる装置、機能の変更に伴って、強制的に行うことを目的としたアップデートである。例えば、中継装置３０側において、通話の際に送受信する音声や画像のデータフォーマットやビデオコーデックが変更されたり、エンコーダのアップデート等の映像に関する中継装置３０のバージョンアップが実施される場合がある。また、中継装置３０との通信プロトコルが変更される場合もある。このような変更は、音声や画像、映像そのものの構造が変わり、あるいは通信プロトコルの変更に伴う中継装置３０との通信手順そのものが変わり、もしくは中継装置３０側の機能が変わるため、アップデート前の通話端末１１では、通話端末１１の本来の機能である通話を実現することができない。このため、このような場合には、中継装置３０のアップデート後のバージョンに適合させるために強制アップデートを行う。
【００１８】
また、中継装置３０側でセキュリティホールが発見された場合等、セキュリティ面で問題がある場合等に、これを回避するようなセキュリティホール対応のアップデートを中継装置３０側で行う場合がある。このような場合にも、アップデート前の通話端末１１では通話すら実行できないことになるため、中継装置３０側のセキュリティホール対応に適合させるために強制アップデートが実施される。
【００１９】
次に、通話端末１１のハードウエア構成を説明する。図２は、通話端末１１のハードウエア構成を例示するブロック図である。図２に示すように、通話端末１１は、ＣＰＵ１０１（Ｃｅｎｔｒａｌ  Ｐｒｏｃｅｓｓｉｎｇ  Ｕｎｉｔ）、ＲＯＭ１０２（Ｒｅａｄ  Ｏｎｌｙ  Ｍｅｍｏｒｙ）、ＲＡＭ１０３（Ｒａｎｄｏｍ  Ａｃｃｅｓｓ  Ｍｅｍｏｒｙ）、記憶部１０５、メディアドライブ１０７、操作部１０８、ネットワークＩ／Ｆ１１１、撮像素子Ｉ／Ｆ１１２、音声入出力Ｉ／Ｆ１１３及びディスプレイＩ／Ｆ１１４を備え、各部がバス１１０により互いに接続される構成である。
【００２０】
ＣＰＵ１０１は、ＲＯＭ１０２や記憶部１０５に記憶されたプログラム１０４をＲＡＭ１０３に展開して順次実行することで、通話端末１１の動作を中央制御する。記憶部１０５は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などであり、読み出し／書き込み可能にデータを記憶する。具体的には、記憶部１０５は、ＣＰＵ１０１が実行するためのプログラム１０４や各種設定情報を記憶する。アップデートの際には、この記憶部１０５に記憶されるプログラム１０４や各種設定情報が更新される。
【００２１】
メディアドライブ１０７は、光ディスクなどのメディア１０６の読み出し／書き込みを行うドライブ装置である。操作部１０８は、キーボード、各種操作キー、ディスプレイ１３上に積層配置されたタッチパネル等であり、ユーザの操作入力を受け付ける。ネットワークＩ／Ｆ１１１は、通信ネットワーク２と接続してデータ通信を行うインタフェースである。撮像素子Ｉ／Ｆ１１２は、デジタルカメラであるカメラ１２と接続し、カメラ１２が撮像した画像を取得するためのインタフェースである。音声入出力Ｉ／Ｆ１１３は、マイク１４、スピーカ１５と接続し、マイク１４による音声入力や、スピーカ１５を介した音声出力を行うインタフェースである。ディスプレイＩ／Ｆ１１４は、ＬＣＤ（Ｌｉｑｕｉｄ  Ｃｒｙｓｔａｌ  Ｄｉｓｐｌａｙ）などであるディスプレイ１３と接続し、ディスプレイ１３へ表示データを出力するインタフェースである。
【００２２】
なお、本実施の形態では、ディスプレイ１３を用いているが、ディスプレイ１３に代えて、プロジェクタ等、他の表示機器を接続する構成としてもよい。
【００２３】
通話端末１１は、プログラム１０４を実行したＣＰＵ１０１の制御の下、例えば他の通話端末との通話時には、カメラ１２から取得した画像やマイク１４から入力された音声をネットワークＩ／Ｆ１１１を介して中継装置３０へ出力する。また、中継装置３０より中継され、ネットワークＩ／Ｆ１１１を介して入力された他の通話端末からの音声をスピーカ１５より出力し、同様に他の通話端末からの画像をディスプレイ１３により表示する。これにより、通話端末１１は、画像及び音声による他の通話端末との通話、いわゆるテレビ会議を実現する。なお、通話端末１１は、汎用のＰＣ（Personal Computer）、スマートフォン、携帯電話及びタブレット端末などの通信端末であってもよい。
【００２４】
次に、中継装置３０、通信管理サーバ５０、アップデートサーバ６０のハードウエア構成を説明する。図３は、中継装置３０、通信管理サーバ５０、アップデートサーバ６０のハードウエア構成を例示するブロック図である。図３に示すように、中継装置３０、通信管理サーバ５０、アップデートサーバ６０は、ＣＰＵ２０１、ＲＯＭ２０２、ＲＡＭ２０３、記憶部２０４、ディスプレイ２０５、ネットワークＩ／Ｆ２０６、キーボード２０７、マウス２０８、メディアドライブ２０９及びＣＤ−ＲＯＭドライブ２１１を備え、各部がバス２１４により互いに接続される構成である。中継装置３０、通信管理サーバ５０、アップデートサーバ６０は、いわゆるＰＣ（Ｐｅｒｓｏｎａｌ  Ｃｏｍｐｕｔｅｒ）やＷＳ（Ｗｏｒｋ  Ｓｔａｔｉｏｎ）などの機器である。
【００２５】
ＣＰＵ２０１は、ＲＯＭ２０２や記憶部２０４に記憶されたプログラムをＲＡＭ２０３に展開して順次実行することで、自装置の動作を中央制御する。記憶部２０４は、ＨＤＤやＳＳＤなどであり、読み出し／書き込み可能にデータを記憶する。例えば、アップデートサーバ６０では、アップデートにかかる情報などが記憶部２０４に記憶されている。
【００２６】
ディスプレイ２０５は、例えばＬＣＤなどである。ネットワークＩ／Ｆ２０６は、通信ネットワーク２と接続してデータ通信を行うインタフェースである。キーボード２０７、マウス２０８は、ユーザの操作入力を受け付ける。メディアドライブ２０９は、光ディスクなどのメディア２１０の読み出し／書き込みを行うドライブ装置である。ＣＤ−ＲＯＭドライブ２１１は、ＣＤ−ＲＯＭ２１３の読み出しを行うドライブ装置である。例えば、アップデートサーバ６０では、メディア２１０やＣＤ−ＲＯＭ２１３によりアップデートにかかる最新の情報が提供され、記憶部２０４に記憶される。
【００２７】
次に、ＣＰＵ１０１やＣＰＵ２０１がプログラムを実行することにより実現する通話端末１１及びアップデートサーバ６０の機能構成について説明する。図４は、実施の形態の通話端末１１及びアップデートサーバ６０の機能構成を例示するブロック図である。図４に示すように、通話端末１１は、送受信部１１０１、ユーザインタフェース部１１０２、アップデート部１１０３及びアプリケーション状態判断部（判断部）１１１０を主に有している。アップデートサーバ６０は、送受信部６０１及びアップデートデータ提供部６０２を主に有している。なお、通話端末１１及びアップデートサーバ６０の各機能は、一部又は全部がハードウェアで構成されてもよい。
【００２８】
送受信部１１０１は、通信ネットワーク２を介してアップデートサーバ６０との間でデータの送受信を行う。具体的には、送受信部１１０１は、記憶部１０５の設定情報などに予め設定されているアップデートサーバ６０の通信アドレスや通信管理サーバ５０へ問い合わせて取得したアップデートサーバ６０の通信アドレスをもとに、アップデートサーバ６０との間で所定の通信プロトコルを用いた通信セッションを開始することで、アップデートサーバ６０との間でデータの送受信を行う。このデータの送受信により、送受信部１１０１は、アップデートサーバ６０が管理しているアップデートにかかる情報（例えばメタデータ及びアップデートデータなど）を取得する。
【００２９】
ユーザインタフェース部１１０２は、スピーカ１５による音声出力、ディスプレイ１３の表示画面、操作部１０８によるユーザの操作入力の受け付けなどを制御して、ユーザと通話端末１１との間の情報伝達を制御するインタフェースである。具体的には、ユーザインタフェース部１１０２は、スピーカ１５による音声出力やディスプレイ１３の表示画面でユーザへの各種通知を行うユーザ通知部１１０４と、操作部１０８によるユーザの操作入力を受け付ける操作入力受付部１１０５とを有する。
【００３０】
アップデート部１１０３は、送受信部１１０１によりアップデートサーバ６０から取得したアップデートにかかる情報を示す関連情報（メタデータ）に基づいて、後述するアプリケーション状態判断部１１１０の判断結果に応じて、記憶部１０５が記憶するプログラム１０４や各種設定情報のアップデート（アップデートデータのダウンロードを含む）を制御して実行する。アップデート部１１０３が実行するアップデートについては、後述するアップデート処理（図６のステップＳ１６）において詳細に説明する。
【００３１】
アプリケーション状態判断部１１１０は、例えばビデオ会議を実行するアプリケーションの起動状態や実行状態を判断し、管理する。例えば、アプリケーション状態判断部１１１０は、通話端末１１におけるアプリケーションの実行状態を判断する。アプリケーションの実行状態には、例えば、ネットワークを介して他の通話端末１１と画像及び音声の通信を開始したことを示す状態（例えば、ビデオ会議を開始したことを示す状態）、画像及び音声を通信中であることを示す状態（例えば、ビデオ会議を実行中であることを示す状態）、並びに画像及び音声の通信を終了したことを示す状態（例えばビデオ会議を終了したことを示す状態）などが含まれる。さらに、アプリケーション状態判断部１１１０は、通信ネットワーク２で使用可能な通信帯域、及びネットワークを介して他の通話端末１１と画像及び音声の通信を行うために必要な帯域がそれぞれどのような状態であるかを判断する。なお、本実施形態においては、「ビデオ会議」は、「テレビ会議」と置き換え可能な用語として用いられている。また、通信は、画像と音声のどちらか一方のみであってもよい。
【００３２】
送受信部６０１は、通信ネットワーク２を介して通話端末１１との間でデータの送受信を行う。具体的には、送受信部６０１は、通信ネットワーク２を介した通話端末１１の要求に応じて所定の通信プロトコルを用いた通信セッションを開始することで、通話端末１１との間でデータの送受信を行う。
【００３３】
アップデートデータ提供部６０２は、送受信部６０１によってデータの送受信を行っている通話端末１１からの要求に応じて、アップデートサーバ６０が管理しているアップデートにかかる情報を通話端末１１に提供する。
【００３４】
図５は、アップデートデータ提供部６０２の動作を示す図である。図５に示すように、アップデートデータ提供部６０２は、通話端末１１からメタデータの要求を受信する（ステップＳ６００）。
【００３５】
アップデートデータ提供部６０２は、メタデータの要求を受信すると、現在アップデートを実行可能なデータ（実行可能データ）のメタデータを生成する（ステップＳ６０２）。
【００３６】
さらに、アップデートデータ提供部６０２は、事前ダウンロードの対象となるデータがあるか否かを判定する（ステップＳ６０４）。ここで、事前ダウンロードの対象となるデータとは、現在アップデートを実行できないが、アップデート可能日時に対し、事前（アップデート可能日時以前）にダウンロードが可能なアップデートデータである。つまり、事前ダウンロードの対象となるデータは、例えばビデオ会議を実行するアプリケーションのアップデートを行う以前に予めダウンロード可能なアップデートデータである。事前ダウンロードは、アップデートの実行時にアップデートサーバ６０に対するアクセスが集中してしまうことを防止することを可能にする。
【００３７】
アップデートデータ提供部６０２は、事前にダウンロード可能なアップデートデータがあるか否かを、後述する図１０に示すメタデータに含まれる”ｖａｌｉｄ  ｄａｔｅ”の時刻が、現在時刻よりも未来であるか否かによって判断する。アップデートデータ提供部６０２は、現在時刻を、例えばＮＴＰ（Network  Time  Protocol）サーバから取得してもよいし、機器に内蔵されている時計から取得してもよい。
【００３８】
アップデートデータ提供部６０２は、事前にダウンロード可能なアップデートデータがあると判断した場合（ステップＳ６０４：ＹＥＳ）、事前ダウンロード対象のアップデートデータのメタデータを生成する（ステップＳ６０６）。そして、アップデートデータ提供部６０２は、現在アップデートを実行可能なデータのメタデータとともに、事前ダウンロード対象のアップデートデータのメタデータを通話端末１１へ送信する（ステップＳ６０８）。
【００３９】
また、アップデートデータ提供部６０２は、事前にダウンロード可能なアップデートデータがないと判断した場合（ステップＳ６０４：ＮＯ）、現在アップデートを実行可能なデータのメタデータのみを通話端末１１へ送信する（ステップＳ６０８）。
【００４０】
次に、通話端末１１の動作について詳細に説明する。図６は、実施の形態の通話端末１１の動作の一例を示す図である。
【００４１】
図６に示すように、ユーザインタフェース部１１０２は、操作部１０８の電源スイッチなどの操作に応じて自装置の電源投入（電源オン）を行い（ステップＳ１）、起動画面をディスプレイ１３に表示させる（ステップＳ２）。この起動画面は、ＣＰＵ１０１の制御の下で通信管理サーバ５０へ問い合わせて得られた各通話端末１１の通話状態を一覧表示した表示画面である（詳細は後述する）。
【００４２】
アップデート部１１０３は、Ｓ１による電源投入後の起動時において、自装置のアップデートの確認を開始する（ステップＳ３）。なお、以下の説明では、プログラムのアップデートを例示するが、各種設定情報のアップデートも同様にして行われることは言うまでもないことである。
【００４３】
アップデートの確認が開始されると、アップデート部１１０３は、送受信部１１０１によって、最新バージョンのプログラムのメタデータをアップデートサーバ６０に対して要求し（ステップＳ４）、その要求に対応してアップデートデータ提供部６０２が提供するメタデータを取得する（ステップＳ５）。
【００４４】
ここで、メタデータの詳細について説明する。図１０は、メタデータの一例を示す概念図である。メタデータは、アップデートデータが、アプリケーションのアップデートを行う以前に予めダウンロード可能な事前ダウンロードデータであることを示す情報を含む場合がある。例えば、図１０に示すように、各バージョンのメタデータは、“ｖｅｒｓｉｏｎ”、“ｄｅｐｅｎｄｅｎｃｙ”、“ｄｅｓｃｒｉｐｔｉｏｎ”、“ｆｉｌｅｓ”、“ｓｃｒｉｐｔｎａｍｅ”、“ｒｅｑｕｉｒｅ＿ｒｅｂｏｏｔ”、“ｆｏｒｃｅ＿ｕｐｄａｔｅ”、“ｖａｌｉｄ  ｄａｔｅ”、“ｄａｔａ  ｓｉｚｅ”などのデータ項目を含む構成である。
【００４５】
“ｖｅｒｓｉｏｎ”には、“１．０．１”などのバージョン番号が記述される。“ｄｅｐｅｎｄｅｎｃｙ”には、“１．０．０”などの、互いに依存関係を有する他のバージョンを示すバージョン番号が記述される。したがって、“ｄｅｐｅｎｄｅｎｃｙ”のデータ項目に記述されたバージョン番号を確認することで、依存関係にあるバージョンへと遡ることが可能である。“ｄｅｓｃｒｉｐｔｉｏｎ”には、“Ｉｔ  ｉｓ  ｓａｍｐｌｅ  ｄａｔａ．”などのバージョンの詳細が記述される。“ｆｉｌｅｓ”には、アップデートサーバ６０が管理しているアップデートの実体となるプログラム（データファイル）のリストとその格納先や、それらデータファイルのチェックサムなどが記述される。したがって、アップデート部１１０３は、“ｆｉｌｅｓ”のデータ項目に記述された内容をもとに、送受信部１１０１によってデータファイルを取得することで、メタデータに記述されたバージョンにかかるアップデートを実行することができる。“ｓｃｒｉｐｔｎａｍｅ”には、アップデートを実行する際に実行するスクリプト名が記述される。“ｒｅｑｕｉｒｅ＿ｒｅｂｏｏｔ”には、アップデートを実行した後に、装置の再起動を行うか否かを示すフラグ（“ｔｒｕｅ”又は“ｆａｌｓｅ”）が記述される。“ｆｏｒｃｅ＿ｕｐｄａｔｅ”には、強制のアップデートであるか否かを示すフラグ（“ｔｒｕｅ”又は“ｆａｌｓｅ”）が記述される。“ｖａｌｉｄ  ｄａｔｅ”には、アップデートデータが実行可能となる日時が記述される。つまり、“ｖａｌｉｄ  ｄａｔｅ”は、アップデートデータが事前ダウンロードデータであるか否かを判断可能にする情報である。“ｄａｔａ  ｓｉｚｅ”には、アップデートデータのサイズが記述される。
【００４６】
プログラム１０４のアップデートには、ネットワークＩ／Ｆ１１１、撮像素子Ｉ／Ｆ１１２、音声入出力Ｉ／Ｆ１１３、ディスプレイＩ／Ｆ１１４等のデバイス制御にかかるものがある。このようなデバイス制御のアップデートでは、アップデート後に再起動が必要となることから、“ｒｅｑｕｉｒｅ＿ｒｅｂｏｏｔ”に“ｔｒｕｅ”が記述される。また、プログラム１０４のアップデートには、上述したように、通常アップデートと強制アップデートがあり、強制アップデートを行う場合には、“ｆｏｒｃｅ＿ｕｐｄａｔｅ”に“ｔｒｕｅ”が記述される。
【００４７】
次いで、アップデート部１１０３は、取得したメタデータの“ｄｅｐｅｎｄｅｎｃｙ”のデータ項目に記述された内容をもとに、依存するバージョンの有無を確認する（ステップＳ６）。例えば、図１０に示すように、“ｄｅｐｅｎｄｅｎｃｙ”のデータ項目に“１．０．０”などの他のバージョンを示すバージョン番号が記述されている場合には、依存するバージョンがあるものとする。また、“ｄｅｐｅｎｄｅｎｃｙ”のデータ項目に何も記述がない場合には、依存するバージョンがないものとする。
【００４８】
次いで、アップデート部１１０３は、Ｓ６による確認の結果、依存するバージョンが有るか否かを判定する（ステップＳ７）。依存するバージョンがある場合（ステップＳ７：ＹＥＳ）、アップデート部１１０３は、送受信部１１０１によって、依存するバージョンのプログラムのメタデータをアップデートサーバ６０に対して要求し（ステップＳ８）、その要求に対応してアップデートデータ提供部６０２が提供する、依存するバージョンのメタデータを取得して（ステップＳ９）、Ｓ６へ処理を戻す。したがって、アップデート部１１０３は、最新バージョンに対して依存するバージョンを順次遡って、それらのバージョンにかかるメタデータを取得する。
【００４９】
次いで、アップデート部１１０３は、”ｖａｌｉｄ  ｄａｔｅ”が現在時刻よりも前に設定された最新バージョンのメタデータの“ｖｅｒｓｉｏｎ”に記述されたバージョン番号と、自装置の記憶部１０５に記憶されたプログラム１０４のバージョン番号とを比較することで、自装置の実行可能なアップデートが存在するか否かを判定する（ステップＳ１０）。具体的には、最新バージョンのバージョン番号と、プログラム１０４のバージョン番号とが一致する場合は、プログラム１０４が最新バージョンであることから、実行可能なアップデートが存在しないと判定する。
【００５０】
また、アップデート部１１０３は、最新バージョンのバージョン番号と、プログラム１０４のバージョン番号とが一致しない場合は、プログラム１０４が古いバージョンであることから、実行可能なアップデートが存在すると判定する。
【００５１】
アップデート部１１０３は、実行可能なアップデートが存在しない場合（ステップＳ１０：ＮＯ）は、事前ダウンロード可能なアップデートデータがあるか否かを判定する（ステップＳ２００）。ここで、アップデート部１１０３は、メタデータの”ｖａｌｉｄ  ｄａｔｅ”が現在時刻よりも未来に設定されたものがあるか否かにより、事前ダウンロード可能なアップデートデータがあるか否かを判定する。
【００５２】
アップデート部１１０３は、事前ダウンロード可能なデータがない場合（ステップＳ２００：Ｎｏ）、アップデートの実行及び事前ダウンロードを行う必要がないことから、通常の動作を継続させる（ステップＳ１９）。また、アップデート部１１０３は、事前ダウンロード可能なデータがある場合（ステップＳ２００：ＹＥＳ）、事前ダウンロード処理（ステップＳ２０２）を行い、その後に通常の動作を継続させる（ステップＳ１９）。
【００５３】
図７は、アップデート部１１０３がユーザインタフェース部１１０２とともに行う事前ダウンロード処理を示す図である。アップデート部１１０３は、事前ダウンロード可能なデータがある場合、事前ダウンロードに関する情報をユーザインタフェース部１１０２に通知する（ステップＳ２５０）。
【００５４】
ユーザインタフェース部１１０２は、例えば図８に示すような画面を表示することで、ユーザに事前ダウンロード可能なアップデートデータが存在することを通知する。つまり、ユーザインタフェース部１１０２は、事前ダウンロードに関する情報を設定画面に表示する（ステップＳ２５２）。
【００５５】
図８に示すように、設定画面Ｇ２は、操作入力受付部１１０５によりユーザの選択操作を受け付けて、各種設定を行うための設定ボタンＧ２２〜Ｇ２５を表示する主画面Ｇ２１を含む構成である。設定ボタンＧ２２〜Ｇ２５の中で設定ボタンＧ２２がアップデートの実行を指示するためのボタンである。設定ボタンＧ２２には、事前アップデートに関する情報として含まれるデータ項目の“ｖｅｒｓｉｏｎ”の記述をもとに、事前アップデートが行われる最新バージョンのバージョン番号などを記載してもよい。図示例では、バージョン番号が２．１の最新バージョンに事前アップデート可能であることが記載されている。なお、設定画面Ｇ２に、さらに、自装置のステータスを表示するステータス画面を表示するように構成してもよい。
【００５６】
ユーザインタフェース部１１０２は、設定ボタンＧ２２〜Ｇ２５のいずれかを選択する入力を受け付けると（ステップＳ２５３）、例えば図９に示すような事前ダウンロードの設定画面を表示する（ステップＳ２５４）。図９に示した事前ダウンロードの設定画面Ｇ２００は、事前ダウンロード可能なアップデートデータの内容を表示する事前アップデート表示Ｇ２０１と、その内容での事前アップデートの実行又はキャンセルの指示をユーザより受け付けるための操作ボタンＧ２０２、Ｇ２０３とを含む。
【００５７】
ユーザインタフェース部１１０２は、図９に示した事前ダウンロード設定画面から、事前ダウンロードの実行ボタンをユーザが選択することにより、事前ダウンロードの実行を指示する入力を受入れる（ステップＳ２５５）。そして、ユーザインタフェース部１１０２は、ユーザから受入れた実行を指示する入力の有無に応じて、事前ダウンロードを実行するか否かを判定する（ステップＳ２５６）。
【００５８】
ユーザインタフェース部１１０２がＳ２５５の処理において実行を指示する入力を受入れた場合（ステップＳ２５６：ＹＥＳ）、アップデート部１１０３は、現在ビデオ会議が行われているかどうかを判定する（ステップＳ２５８）。ここで、アップデート部１１０３は、ビデオ会議が行われているかどうかを、アプリケーション状態判断部１１１０からのビデオ会議状態通知により判断する。また、ユーザインタフェース部１１０２は、Ｓ２５５の処理において実行を指示する入力以外の入力を受入れた場合（ステップＳ２５６：ＮＯ）、事前ダウンロードを実行させない。
【００５９】
アップデート部１１０３は、ビデオ会議中であると判断した場合（ステップＳ２５８：ＹＥＳ）、処理を継続する。つまり、アップデート部１１０３は、ビデオ会議中である場合には、ビデオ会議が終了するまでダウンロードを実行しない。
【００６０】
また、アップデート部１１０３は、ビデオ会議中でないと判断した場合（ステップＳ２５８：ＮＯ）、アップデートデータのダウンロードを開始し、アップデートデータを通話端末１１内の記憶部１０５に記憶させる（ステップＳ２６０）。
【００６１】
なお、ここでは、ユーザ操作により事前ダウンロードの実行を判断する例を記載したが、事前ダウンロードがある場合、ユーザの判断を介さずにアップデート部１１０３が事前ダウンロードの実行を判断してもよい。また、Ｓ２５８の処理においては、ビデオ会議が行われているかどうかを判定する場合を例に説明したが、アップデート部１１０３は、画像及び音声の少なくとも１つのデータ通信が開始、終了及び通信中のいずれの状態であるかを判定し、アップデートの再開及び停止を制御するように構成されてもよい。
【００６２】
図１１は、ビデオ会議中にビデオ会議の状態が変化する場合のアプリケーション状態判断部１１１０及びアップデート部１１０３の動作を示す図である。アップデート部１１０３は、事前ダウンロードを開始する（ステップＳ３００）。アプリケーション状態判断部１１１０は、ビデオ会議が開始されると判断すると、ビデオ会議の開始をアップデート部１１０３に対して通知する（ステップＳ３０２）。
【００６３】
アップデート部１１０３は、事前ダウンロード中にアプリケーション状態判断部１１１０からビデオ会議などのアプリケーション開始の通知を受けた場合、事前ダウンロードを停止する（ステップＳ３０４）。
【００６４】
アプリケーション状態判断部１１１０は、ビデオ会議が終了されると判断すると、ビデオ会議の終了をアップデート部１１０３に対して通知する（ステップＳ３０６）。
【００６５】
アップデート部１１０３は、アプリケーション状態判断部１１１０からビデオ会議の終了を通知された場合、事前ダウンロードを再開する（ステップＳ３０８）。なお、アプリケーション状態判断部１１１０は、画像及び音声の少なくとも１つのデータ通信が開始、終了及び通信中のいずれの状態であるかを判定し、アップデート部１１０３に対してアップデートの再開及び停止を制御するように構成されてもよい。
【００６６】
図６に戻り、自装置のアップデートが存在する場合（ステップＳ１０：ＹＥＳ）、アップデート部１１０３は、そのアップデートに関する情報をユーザインタフェース部１１０２へ通知する（ステップＳ１１）。具体的には、最新バージョン及びその最新バージョンに依存するバージョンのメタデータのうち、“ｆｉｌｅｓ”、“ｓｃｒｉｐｔｎａｍｅ”などのユーザへの通知に不要なデータ項目以外のデータ項目を、アップデートに関する情報としてユーザインタフェース部１１０２へ通知する。
【００６７】
ユーザインタフェース部１１０２のユーザ通知部１１０４では、Ｓ１１においてアップデート部１１０３より通知されたアップデートに関する情報をもとに、自装置に必要なアップデートが存在することをディスプレイ１３の起動画面に表示して、ユーザへ通知する（ステップＳ１２）。
【００６８】
ここで、起動画面の詳細について説明する。図１２は、起動画面Ｇ１の一例を示す概念図である。図１２に示すように、起動画面Ｇ１は、各通話端末の通話状態を一覧表示する主画面Ｇ１１と、自装置のステータスを表示するステータス画面Ｇ１２とを含む構成である。ユーザ通知部１１０４は、アップデートに関する情報がアップデート部１１０３より通知された場合は、ステータス画面Ｇ１２にアップデートがある旨の表示を行うことで、ユーザへの通知を行う。なお、アップデートがある旨の表示は、予め設定されたアイコン画像を主画面Ｇ１１に表示してもよく、図示したレイアウトに限定しない。なお、図面で例示している画面例（図８、１２〜１５等）において、中抜き又は黒塗りの四角で表された部分は、メッセージを表示する可能性のある領域を示しており、例えばシステム上で予め予約されたメッセージ表示領域などである。
【００６９】
また、ユーザ通知部１１０４は、アップデートに関する情報として含まれるデータ項目の中で“ｆｏｒｃｅ＿ｕｐｄａｔｅ”の記述が“ｔｒｕｅ”である場合は、自装置に存在するアップデートが強制のアップデートであることを起動画面Ｇ１に表示してユーザに通知する。具体的には、アップデートが強制のアップデートである旨をステータス画面Ｇ１２に表示してもよいし、主画面Ｇ１１に表示されている一覧表示をグレーアウトするなどして、アップデート以外の操作が無効であることを通知してもよい。
【００７０】
Ｓ１２によるユーザへの通知によって、ユーザインタフェース部１１０２の操作入力受付部１１０５によりアップデートなどの各種設定を行うための操作指示が受け付けられた場合、ユーザインタフェース部１１０２は、設定画面をディスプレイ１３に表示させる（ステップＳ１３）。
【００７１】
図１３は、設定画面Ｇ２の一例を示す概念図である。図１３に示すように、設定画面Ｇ２は、操作入力受付部１１０５によりユーザの選択操作を受け付けて、各種設定を行うための設定ボタンＧ２３〜Ｇ２６を表示する主画面Ｇ２１を含む構成である。設定ボタンＧ２３〜Ｇ２６の中で設定ボタンＧ２６がアップデートの実行を指示するためのボタンである。この設定ボタンＧ２６は、アップデートに関する情報がアップデート部１１０３より通知されず、自装置にアップデートが存在しない場合には、グレーアウトするなどして、選択操作が無効とされている。逆に、アップデートに関する情報がアップデート部１１０３より通知され、自装置にアップデートが存在する場合には、グレーアウトが解除され、操作入力受付部１１０５によるユーザの選択操作を受け付ける状態となる。この場合、設定ボタンＧ２６には、アップデートに関する情報として含まれるデータ項目の“ｖｅｒｓｉｏｎ”の記述をもとに、アップデートが行われる最新バージョンのバージョン番号などを記載してもよい。図示例では、バージョン番号が２．０の最新バージョンにアップデートすることが記載されている。なお、設定画面Ｇ２に、さらに、自装置のステータスを表示するステータス画面を表示するように構成してもよい。
【００７２】
Ｓ１３において、設定ボタンＧ２６の選択操作が行われた場合、ユーザインタフェース部１１０２は、アップデートの実行を確認する確認画面をディスプレイ１３に表示させる（ステップＳ１４）。
【００７３】
図１４は、確認画面Ｇ３の一例を示す概念図である。図１４に示すように、確認画面Ｇ３は、実行するアップデートの内容を表示するアップデート表示Ｇ３３と、その内容でのアップデートの実行又はキャンセルの指示をユーザより受け付けるための操作ボタンＧ３４、Ｇ３５とを含む主画面Ｇ３１と、自装置のステータスを表示するステータス画面Ｇ３２とを含む構成である。アップデート表示Ｇ３３には、自装置のプログラム１０４のバージョン番号である現在のバージョンの他、アップデートに関する情報として含まれるデータ項目の“ｖｅｒｓｉｏｎ”の記述をもとにした、アップデートが行われる最新バージョンのバージョン番号などの情報が表示され、ユーザに通知される。したがって、ユーザは、アップデート表示Ｇ３３の表示内容により、どのバージョン番号へのアップデートが行われるかを確認できる。なお、確認画面Ｇ３のアップデート表示Ｇ３３に、さらに、再起動が行われるか否かの情報を表示するように構成してもよい。
【００７４】
図１５は、確認ウインドウＧ３６の一例を示す概念図である。確認画面Ｇ３において、アップデートの実行を指示する操作ボタンＧ３５が選択された場合は、再度ユーザに確認を促す確認ウインドウＧ３６を表示してもよい。確認ウインドウＧ３６には、アップデートが行われる最新バージョンのバージョン番号などの情報の他、予め設定されたアップデート時の注意事項などを表示する。この確認画面Ｇ３では、アップデートの実行が指示された場合に確認ウインドウＧ３６を表示することで、ユーザへの注意喚起を促すことができる。なお、確認ウインドウ３６に、さらに、再起動が行われるか否かの情報を表示するように構成してもよい。
【００７５】
図６に戻り、アップデート部１１０３では、確認画面Ｇ３での操作ボタンＧ３４、Ｇ３５の選択操作をもとに、アップデートを実行するか否かを判定する（ステップＳ１５）。アップデートの実行を指示する操作ボタンＧ３５が選択された場合（ステップＳ１５：ＹＥＳ）、アップデート部１１０３は、取得しているメタデータをもとにアップデート処理を実行する（ステップＳ１６）。
【００７６】
アップデートの実行をキャンセルする操作ボタンＧ３４が選択されるなどして、操作ボタンＧ３５の選択が行われなかった場合（ステップＳ１５：ＮＯ）、アップデート部１１０３は、取得しているメタデータの“ｆｏｒｃｅ＿ｕｐｄａｔｅ”の記述をもとに、実行されなかったアップデートの中に強制のアップデートが含まれるか否かを判定する（ステップＳ１７）。強制のアップデートが含まれる場合（ステップＳ１７：ＹＥＳ）、アップデート部１１０３は、自装置の処理を終了させる終了処理を行い（ステップＳ１８）、装置の電源を落とす。このように、強制のアップデートが実行されない場合は、通話すら実行できないこととなるため、装置の電源を落として無駄な操作が行われることを未然に防止する。逆に、強制のアップデートが含まれない場合（ステップＳ１７：ＮＯ）、アップデート部１１０３は、現時点ではアップデートを実行しないことから、通常の動作を継続させる。これにより、ユーザは、アップデートよりも通話を優先することができる。
【００７７】
すなわち、通話端末１１では、自装置のアップデートが存在する場合には、そのアップデートの存在をユーザインタフェース部１１０２のユーザ通知部１１０４よりユーザに通知する。そして、通話端末１１では、操作入力受付部１１０５により、そのアップデートを実行するか否かの選択操作をユーザより受け付け、アップデートを実行する選択操作が行われた場合に、アップデート部１１０３によるアップデート処理が実行される。したがって、通話端末１１は、自装置に実行するアップデートがある場合の、そのアップデートの実行をユーザが選択可能となる。
【００７８】
ここで、アップデート処理（ステップＳ１６）の詳細について説明する。図１６は、通話端末１１が実行するアップデート処理の一例を示す図である。
【００７９】
図１６に示すように、アップデート部１１０３は、アップデート処理を開始すると（ステップＳ１００）、カメラ１２、マイク１４、スピーカ１５などの外部装置と接続するための撮像素子Ｉ／Ｆ１１２、音声入出力Ｉ／Ｆ１１３等のインタフェース部の機能を停止する。インタフェース部が稼働していると、そのインタフェース部にかかるプログラム１０４が使用中であるため、アップデートがエラーとなることがある。このエラーを未然に防止するため、アップデート部１１０３は、アップデート処理の開始に伴い、上述したインタフェース部の機能を停止する。
【００８０】
次いで、アップデート部１１０３は、取得した全てのメタデータの“ｆｉｌｅｓ”からアップデートの実体となるプログラムのファイルリストと、それらファイルのチェックサムとを取得する（ステップＳ１０１）。なお、依存関係を有する複数のバージョンのメタデータを取得している場合には、バージョン番号が古いものから順にＳ１０１〜Ｓ１０６の処理が行われるものとする。
【００８１】
次いで、アップデート部１１０３は、メタデータの”ｖａｌｉｄ  ｄａｔｅ”に基づいてアップデートが実行可能か否かを判断する（ステップＳ３５０）。例えば、アップデート部１１０３は、端末がＮＴＰ（Network  Time  Protocol）サーバから取得した現在時刻と、”ｖａｌｉｄ  ｄａｔｅ”に記載されている時刻を比較して、”ｖａｌｉｄ  ｄａｔｅ”が過去の時刻であれば実行可能と判断する。
【００８２】
アップデート部１１０３は、実行可能でないと判断した場合（ステップＳ３５０：ＮＯ）、Ｓ１０１の処理に戻る。また、アップデート部１１０３は、実行可能と判断した場合（ステップＳ３５０：ＹＥＳ）、そのデータを事前ダウンロードで取得済みかどうかを判定する（ステップＳ３５２）。
【００８３】
アップデート部１１０３は、データを事前ダウンロードで取得済みである場合（ステップＳ３５２：ＹＥＳ）、取得した全てのファイル（ダウンロードしたアップデートデータ）のチェックサムを確認する（ステップＳ１０３）。アップデート部１１０３は、データを事前ダウンロードで取得済みでない場合（ステップＳ３５２：ＮＯ）、ファイルリストのファイルをアップデートサーバ６０から取得し（ステップＳ１０２）、取得したファイルのチェックサムを確認する（ステップＳ１０３）。
【００８４】
次いで、アップデート部１１０３は、アップデートの進行状況をユーザインタフェース部１１０２に通知する（ステップＳ１０４）。この進行状況の通知は、ファイルリストに含まれる複数のファイルの中で、どのファイルまでＳ１０２、Ｓ１０３の処理を終えたかを通知する。また、依存関係を有する複数のバージョンのアップデートを行う場合には、どのバージョンのアップデートまでを終えたかを通知してもよい。ユーザインタフェース部１１０２では、通知されたアップデートの進行状況をディスプレイ１３に画面表示してユーザに通知する。
【００８５】
図１７は、アップデート画面Ｇ４の一例を示す概念図である。図１７に示すように、アップデート画面Ｇ４は、アップデート部１１０３によるアップデート処理中にユーザインタフェース部１１０２がディスプレイ１３に表示させる画面である。アップデート画面Ｇ４には、アップデート部１１０３より通知されたアップデートの進行状況を表示するアップデートステータスウインドウＧ４１と、アップデートの中止を指示するための操作ボタンＧ４２とが表示される。ユーザは、アップデートステータスウインドウＧ４１の表示内容により、アップデートの進行状況を確認できる。
【００８６】
なお、この他、アップデート画面Ｇ４に、アップデートの残り時間や現在の回線速度をリアルタイムで表示するように構成してもよい。この場合には、ユーザにアップデートの状況をより詳細に把握させることができるという利点がある。
【００８７】
次いで、アップデート部１１０３は、エラーの発生の有無を判定し（ステップＳ１０５）、エラーの発生がある場合（ステップＳ１０５：ＹＥＳ）はＳ１０１〜Ｓ１０６の処理を抜けてＳ１０７へ処理を進める。このＳ１０５では、アップデート実行中に何らかの要因で発生するエラー（例えば、Ｓ１０３におけるチェックサムの相違）の他、アップデート画面Ｇ４の操作ボタンＧ４２の操作によるアップデートの中止や、Ｓ１０２、Ｓ１０３で行ったアップデートのバージョンが再起動を要する場合にもエラーとして判定される。したがって、バージョン番号が古いものから順にアップデートが行われる場合には、再起動を要するバージョンのアップデートまでが行われた段階で、Ｓ１０１〜Ｓ１０６の処理を抜けることとなる。
【００８８】
エラーの発生がない場合（ステップＳ１０５：ＮＯ）、アップデート部１１０３は、取得したメタデータにかかる、全てのバージョンのアップデートが完了したか否かを判定する（ステップＳ１０６）。全てのバージョンのアップデートが完了していない場合（ステップＳ１０６：ＮＯ）には、Ｓ１０１へ戻り、アップデート処理を継続する。全てのバージョンのアップデートが完了した場合（ステップＳ１０６：ＹＥＳ）には、Ｓ１０１〜Ｓ１０６の処理を抜け、Ｓ１０７へ処理を進める。
【００８９】
Ｓ１０７において、アップデート部１１０３は、Ｓ１０１〜Ｓ１０６によるアップデートの結果をユーザインタフェース部１１０２へ通知する。ユーザインタフェース部１１０２では、通知されたアップデートの結果をディスプレイ１３に画面表示してユーザに通知する。
【００９０】
図１８は、確認画面Ｇ５の一例を示す概念図である。アップデートの結果を受けたユーザインタフェース部１１０２は、図１８に示すように、Ｓ１０１〜Ｓ１０７によるアップデート結果Ｇ５１や、アップデート後のシャットダウンや再起動の操作を受け付けるための操作ボタンＧ５２、Ｇ５３を確認画面Ｇ５に表示する。アップデート結果Ｇ５１には、アップデート前のバージョンにかかる情報の他、Ｓ１０１〜Ｓ１０６のアップデートによる現在のバージョンにかかる情報などが表示される。このアップデート結果Ｇ５１の表示内容により、ユーザは、アップデートの結果を確認できる。
【００９１】
次いで、アップデート部１１０３は、Ｓ１０１〜Ｓ１０６でアップデートを行った際のメタデータに含まれる、“ｒｅｑｕｉｒｅ＿ｒｅｂｏｏｔ”の記述をもとに、再起動が必要であるか否かを判定する（ステップＳ１０８）。再起動が必要でない場合（ステップＳ１０８：ＮＯ）、アップデート部１１０３は、再起動することなくアップデート処理を終了する（ステップＳ１０９）。再起動が必要である場合（ステップＳ１０８：ＹＥＳ）、アップデート部１１０３は、自装置を再起動させて処理を終了する（ステップＳ１１０）。このように、再起動が必要なアップデートが実行された場合は、ユーザが操作することなく、アップデート後に再起動されることとなる。
【００９２】
このように本実施の形態では、アップデートデータのダウンロードの停止及び再開を制御するので、アップデートデータのダウンロード中にデータの通信を開始しても、データの通信品質がユーザの意図に反して低下してしまうことを防止することができる。
【００９３】
（第１変形例）
次に、ビデオ会議中にビデオ会議の状態が変化する場合のアプリケーション状態判断部１１１０及びアップデート部１１０３の動作の第１変形例について説明する。図１９は、ビデオ会議中にビデオ会議の状態が変化する場合のアプリケーション状態判断部１１１０及びアップデート部１１０３の動作の第１変形例を示す図である。アップデート部１１０３は、事前ダウンロードを開始し（ステップＳ４００）、その旨をアプリケーション状態判断部１１１０に通知する。
【００９４】
アプリケーション状態判断部１１１０は、ビデオ会議の開始を検知すると（ステップＳ４０２）、通信ネットワーク２における利用可能な通信帯域を取得する（ステップＳ４０４）。アプリケーション状態判断部１１１０は、利用可能な通信帯域をＰｉｎｇを用いて取得してもよい。また、アプリケーション状態判断部１１１０は、通信ネットワーク２を介してビデオ会議等のコミュニケーションが行われる場合に、コミュニケーション中の通信速度を取得して、利用可能な通信帯域を算出してもよい。また、アプリケーション状態判断部１１１０は、常時ポーリングで利用可能な通信帯域を取得してもよい。さらに、アプリケーション状態判断部１１１０は、画像及び音声の少なくとも１つのデータ通信が開始、終了及び通信中のいずれの状態であるかを判定し、アップデート部１１０３に対してアップデートの再開及び停止を制御するように構成されてもよい。
【００９５】
アプリケーション状態判断部１１１０は、取得した利用可能な通信帯域と、ビデオ会議を行うために予め定められた閾値と比較することにより、ビデオ会議を行うために十分な帯域が通信ネットワーク２の通信帯域に確保可能であるか否かを判断する（ステップＳ４０６）。なお、閾値は、ユーザが意図する通信品質に応じて設定した値とする。例えば、アプリケーション状態判断部１１１０は、「１Ｍｂｐｓ」などのように、閾値を設定ファイルとしてメモリに定義しておく。
【００９６】
アプリケーション状態判断部１１１０は、閾値よりも通信帯域が低ければ事前ダウンロードを停止させる指示をアップデート部１１０３に対して行う（ステップＳ４０６：ＮＯ）。また、アプリケーション状態判断部１１１０は、通信帯域が閾値以上であれば（通信帯域が十分であれば）、アップデート部１１０３に対する指示を行わない（ステップＳ４０６：ＹＥＳ）。つまり、通信帯域が閾値以上であれば、アップデート部１１０３は、事前ダウンロードを継続する。
【００９７】
アップデート部１１０３は、事前ダウンロードを停止させる指示を受入れると、事前ダウンロードを停止する（ステップＳ４０８）。
【００９８】
（第２変形例）
次に、ビデオ会議中にビデオ会議の状態が変化する場合のアプリケーション状態判断部１１１０及びアップデート部１１０３の動作の第２変形例について説明する。第２変形例において、アプリケーション状態判断部１１１０は、取得した利用可能な通信帯域と、ビデオ会議に必要な帯域を示す帯域表とを用いて、ビデオ会議に利用する最大帯域を指定する。図２０は、ビデオ会議中にビデオ会議の状態が変化する場合のアプリケーション状態判断部１１１０及びアップデート部１１０３の動作の第２変形例を示す図である。図２１は、ビデオ会議に必要な帯域をビデオ会議モードごとに示す図表（帯域表）である。図２１に示した帯域表は、例えばＲＯＭ１０２又はＲＡＭ１０３などに記憶されている。なお、図２０に示した第２変形例において、図１９に示した第１変形例における処理と実質的に同一の処理には、同一の符号が付してある。
【００９９】
アプリケーション状態判断部１１１０は、ユーザによる設定に従い、図２１に示した帯域表に応じてビデオ会議モードごとに必要な帯域（ビデオ会議の使用帯域）を設定するか否かを判定する（ステップＳ４０７）。ここで、アプリケーション状態判断部１１１０は、ユーザによる設定に従い、ビデオ会議に使用する帯域を制限すれば事前ダウンロードが継続可能な場合に、ビデオ会議の使用帯域を設定すると判定する。
【０１００】
アプリケーション状態判断部１１１０は、会議の使用帯域を設定しないと判定した場合（ステップＳ４０７：ＮＯ）、事前ダウンロードを停止させる指示をアップデート部１１０３に対して行う。また、アプリケーション状態判断部１１１０は、会議の使用帯域を設定すると判定した場合（ステップＳ４０７：ＹＥＳ）、ユーザによる設定に合わせて、ビデオ会議に使用する帯域を制限する設定を行う（ステップＳ４１０）。
【０１０１】
このように、アプリケーション状態判断部１１１０は、ビデオ会議に利用する帯域を制限することにより、事前ダウンロードを停止することなくビデオ会議を継続可能であるか否かを判断する。アプリケーション状態判断部１１１０は、事前ダウンロードを停止することなくビデオ会議を継続可能な場合は、ビデオ会議に使用する帯域を制限する設定を行う。アプリケーション状態判断部１１１０が帯域を制限する設定を行うと、アップデート部１１０３は、ビデオ会議に使用する帯域を制限し、アップデートデータの事前ダウンロードを停止しない。
【０１０２】
例えば、通信ネットワーク２において、事前ダウンロードを継続しつつ、ビデオ会議に利用可能な通信帯域が４００ｋｂｐｓの場合、狭帯域モードであればビデオ会議を行うことが可能である。そこで、アプリケーション状態判断部１１１０は、ユーザによる設定に従い、ビデオ会議に使用する帯域を制限すれば事前ダウンロードが継続可能であるため、ビデオ会議の使用帯域を設定すると判定し、使用帯域を制限する設定を行う。つまり、アプリケーション状態判断部１１１０は、ビデオ会議を狭帯域モードで使用する場合の解像度、パラメータに設定して利用帯域を制限する設定を行う。また、アプリケーション状態判断部１１１０は、ビデオ会議に利用する帯域を制限しても全体（事前ダウンロードとビデオ会議）で必要な帯域が得られない場合には、事前ダウンロードを停止させる指示をアップデート部１１０３に対して行う。
【０１０３】
なお、本発明は上述した実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。
【０１０４】
具体的には、通信システム１は、テレビ電話システム、音声会議システム、音声電話システム、ＰＣ（Personal Computer）画面共有システム、ＩＰ（Internet  Protocol）電話及びインターネット電話等の電話システムであってもよい。さらに、遠隔操作システム１は、カーナビゲーションシステムであってもよい。例えば、通話端末１１の一方が自動車に搭載されたカーナビゲーション装置に相当し、通話端末１１の他方がカーナビゲーションを管理する管理センターの管理端末若しくは管理サーバ、又は他の自動車に搭載されているカーナビゲーション装置に相当するように構成されてもよい。また、通信システム１１は、映画、ドラマ、テレビ、投稿動画などの映像や、電子書籍などの電子データを配信するコンテンツ配信システムとして構成されてもよい。
【０１０５】
また、上記各実施形態における通信管理サーバ５０、及びアップデートサーバ６０は、単一のコンピュータによって構築されてもよいし、各部（機能又は手段）を分割して任意に割り当てられた複数のコンピュータによって構築されていてもよい。また、アップデートサーバ６０が単一のコンピュータによって構築されている場合には、アップデートサーバ６０によって送信されるプログラムは、複数のモジュールに分けて送信されるようにしてもよいし、分けないで送信されるようにしてもよい。更に、アップデートサーバ６０が複数のコンピュータによって構築されている場合には、複数のモジュールが分けられた状態で、各コンピュータから送信されるようにしてもよい。
【符号の説明】
【０１０６】
１  通信システム
２  通信ネットワーク
１１  通話端末
１２  カメラ
１３  ディスプレイ
１４  マイク
１５  スピーカ
３０  中継装置
５０  通信管理サーバ
６０  アップデートサーバ
６０１  送受信部
６０２  アップデートデータ提供部
１１０１  送受信部
１１０２  ユーザインタフェース部
１１０３  アップデート部
１１０４  ユーザ通知部
１１０５  操作入力受付部
１１１０  アプリケーション状態判断部（判断部）
【先行技術文献】
【特許文献】
【０１０７】
【特許文献１】特開２０１１−１９３２６４号公報
【特許文献２】特開２０１２−８４１１８号公報
【図１】
2015005061.tif 000003
【図２】
2015005061.tif 000004
【図３】
2015005061.tif 000005
【図４】
2015005061.tif 000006
【図５】
2015005061.tif 000007
【図６】
2015005061.tif 000008
【図７】
2015005061.tif 000009
【図８】
2015005061.tif 000010
【図９】
2015005061.tif 000011
【図１０】
2015005061.tif 000012
【図１１】
2015005061.tif 000013
【図１２】
2015005061.tif 000014
【図１３】
2015005061.tif 000015
【図１４】
2015005061.tif 000016
【図１５】
2015005061.tif 000017
【図１６】
2015005061.tif 000018
【図１７】
2015005061.tif 000019
【図１８】
2015005061.tif 000020
【図１９】
2015005061.tif 000021
【図２０】
2015005061.tif 000022
【図２１】
2015005061.tif 000023